(57)【特許請求の範囲】
【請求項１】
円筒電池(3)を挿入できる筒状に形成されると共に、内面に突出して、円筒電池(3)を定位置に支持するために、少なくとも一対の位置決めリブ(5)が円筒電池(3)の縦方向に延長して一体成形して設けられており、かつ、一対の位置決リブ(5)は、円筒電池(3)を挟むように、円筒電池(3)を間にしてその両側に配設されてなる電池ケースにおいて、
一対の位置決リブ(5)が、円筒電池(3)の中心から偏心した位置を挟むように、円筒電池(3)の中心からずれた位置に配設され、円筒電池(3)の半径方向に対して傾斜する姿勢で配設されると共に、位置決リブの厚さが、電池ケースよりも薄く成形されてなることを特徴とする携帯電池機器の電池ケース。
【請求項２】
電池ケース(1)が２本の円筒電池(3)を平行に並べて収納できる細長い筒状に成形されると共に、２本の円筒電池(3)の間に隔壁(4)が設けられており、隔壁(4)と位置決リブ(5)とで円筒電池(3)を定位置に支持するように構成されてなる請求項１に記載される携帯電気機器の電池ケース。
【請求項３】
一対の位置決リブ(5)が、同一平面に位置するように成形されてなる請求項１に記載される携帯電気機器の電池ケース。
【発明の詳細な説明】
【０００１】
【発明の属する技術分野】
本発明は、円筒電池を定位置に保持できる携帯電気機器の電池ケースに関する。
【０００２】
【従来の技術】
電池ケースは、電池を正確に決められた位置にセットして収納することが大切である。電池をセットする位置がずれると、電池の＋−の電極端子に接触する位置に固定している接続端子が、電池の電極端子に正しく接触できなくなって、電池と端子とが接触不良となることがあるからである。
【０００３】
全ての電池が、極めて高い精度で、全く同じ大きさに製造されているとすれば、電池ケースを高い寸法精度で製作して、電池を正確な位置にセットできる。しかしながら、たとえば、単３形の円筒電池においては、外径に１ｍｍもの誤差が許されている。このため、円筒電池を収納する電池ケースは、細いものから太いものまで収納できるように、最も太い円筒電池を収納できる大きさとする必要がある。
【０００４】
図１は、従来の電池ケースの断面を示す。この図の電池ケース１はプラスチック製で、内面に突出するように位置決リブ５を一体成形している。位置決リブ５は、３列に等間隔に設けている。図において、上下に対向して設けている一対の位置決リブ５は、円筒電池３を中心に対称に設けている。円筒電池３の左右に設けている位置決リブ５は、電池ケース１に設けた隔壁４と対称に設けている。この電池ケース１は、隔壁４と、３列の位置決リブ５で、収納する円筒電池３を正確に中心に収納する。
【０００５】
【発明が解決しようとする課題】
この図に示す電池ケースは、位置決リブと隔壁で、円筒電池を決められた位置に支持する。ただ、この構造の電池ケースも、最も太い円筒電池を収納できるように、位置決リブと隔壁を設計する必要がある。このため、細い円筒電池を収納すると、位置決リブや隔壁と円筒電池との間に遊びができ、円筒電池がケース内でガタガタと動く弊害がある。この欠点を解消するために、最も太い円筒電池を収納するときには、電池ケースを多少大きく弾性変形させることもできる。この電池ケースは、細い円筒電池を収納したときの遊びを少なくできる。しかしながら、電池ケースを弾性変形させるためには、これを薄く成形する必要があって、強度が低下してしまう欠点がある。
【０００６】
本発明は、このような欠点を解決することを目的に開発されたものである。本発明の重要な目的は、太い円筒電池から細い円筒電池まで正しい位置に収納して、しかも、収納した状態での遊びを少なくできる携帯電気機器の電池ケースを提供することにある。
【０００７】
【課題を解決するための手段】
本発明の電池ケースは、円筒電池３を挿入できる筒状で、内面に突出して一対の位置決リブ５を設けている。位置決リブ５は、円筒電池３を定位置に支持するものであって、円筒電池３の縦方向に延長して、電池ケース１に一体成形して設けられている。一対の位置決リブ５は、円筒電池３を挟むように、円筒電池３を間にしてその両側に配設されている。さらに、一対の位置決リブ５は、円筒電池３の中心から偏心した位置を挟むように、円筒電池３の中心からずれた位置に配設され、円筒電池３の半径方向に対して傾斜する姿勢で配設されると共に、位置決リブ５の厚さを、電池ケース１よりも薄く成形している。
【０００８】
本発明の請求項２の電池ケースは、２本の円筒電池３を平行に並べて収納できる細長い筒状に成形され、かつ、２本の円筒電池３の間に隔壁４を設けている。隔壁４と位置決リブ５とで円筒電池３を定位置に支持している。
【００１０】
さらに、本発明の請求項３の電池ケースは、一対の位置決リブ５を、同一平面に位置するように成形している。
【００１１】
【発明の実施の形態】
以下、本発明の実施例を図面に基づいて説明する。ただし、以下に示す実施例は、本発明の技術思想を具体化するための電池ケースを例示するものであって、本発明は電池ケースを以下のものに特定しない。
【００１２】
さらに、この明細書は、特許請求の範囲を理解しやすいように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１３】
図２に示す電池ケース１は、携帯電気機器２である電気かみそりに使用される。この電池ケース１は、携帯電気機器２である電気かみそりに脱着自在に連結して使用される。この電池ケース１は、上端を開口した筒状にプラスチックを成形している。上端の開口部は、携帯電気機器２に連結する連結孔６を対向する位置に開口している。携帯電気機器２は、電池ケース１の連結孔６に入れられる凸部７を、電気かみそり下部の挿入部に突出して設けている。この構造の電池ケース１は、携帯電気機器２の挿入部に上端を入れた後、多少回転させて、連結孔６に凸部７を案内して、外れないように連結できる。
【００１４】
図３ないし図５に示す電池ケース１は、２本の単３形の円筒電池３を、平行に並べて収納するために、細長い楕円筒状に成形している。２本の円筒電池３の間には、図３の平面図に示すように、隔壁４を一体成形している。さらに、電池ケース１は、内面に突出して、一対の位置決リブ５を一体成形している。位置決リブ５は、円筒電池３を定位置に保持するもので、図の電池ケース１は、隔壁４と位置決リブ５の両方で、円筒電池３を電池ケース１の定位置に収納する。
【００１５】
位置決リブ５は、円筒電池３の縦方向に延長して電池ケース１に設けられる。さらに、位置決リブ５は、円筒電池３に押されたときに多少は変形できるように、電池ケース１よりも薄い板状に成形される。板状の位置決リブ５は、円筒電池３を両側で挟むようにして定位置に保持する。図３の電池ケースは、一対の位置決リブ５を、図において円筒電池３の上下に配設して、上下の両側で挟むようにして定位置に保持する。
【００１６】
さらに、図３に示す一対の位置決リブ５は、円筒電池３の中心から偏心した位置を挟むように、円筒電池３の中心からずれた位置に配設している。図３の電池ケース１は、右の円筒電池３を保持する位置決リブ５を、右の円筒電池３の中心よりもさらに右側に偏在するように配設し、左の円筒電池３を保持する位置決リブ５を、左の円筒電池３の中心よりもさらに左側に偏在させて配設している。
【００１７】
さらにまた、位置決リブ５は、円筒電池３に押されたときに変形しやすいように、円筒電池３の半径方向に対して傾斜する姿勢をしている。図３に示す位置決リブ５の、円筒電池３の半径方向に対する傾斜角αは、約４５度である。位置決リブ５は、傾斜角αを小さくするほど、円筒電池３の半径方向に近付いて変形し難く、反対に傾斜角αが大きくなるほど、変形しやすくなる。傾斜角αは、たとえば、位置決リブ５の厚さや高さ等を考慮して、好ましくは３０〜７０度、より好ましくは３０〜６０度とされる。
【００１８】
図３に示す一対の位置決リブ５は、同一平面内に位置するように成形している。この形状の位置決リブ５は、円筒電池３の中心から偏心して配設するほど傾斜角αが大きくなり、位置決リブ５の位置する平面が円筒電池３の中心に接近するほど傾斜角αが小さくなる。ただ、一対の位置決リブは、必ずしも同一平面に配設する必要はなく、互いに傾斜する姿勢で設けることもできる。
【００１９】
さらに、位置決リブ５は、図５に示すように、上端部に傾斜部５Ａを設けている。傾斜部５Ａは、電池ケース１の内面に突出する位置決リブ５の高さを、上端方向に向けて次第に低くなるように成形して設けている。この形状の位置決リブ５は、挿入される円筒電池３を、傾斜部５Ａが一対の位置決リブ５の間にスムーズに案内して、所定の位置に速やかに収納できる特長がある。
【００２０】
図３ないし図５に示す電池ケースは、一対の位置決リブ５と隔壁４で円筒電池３を定位置に保持する。ただ、本発明は、電池ケースをこの構造に特定しない。電池ケースは、図６に示すように、１本の円筒電池３を収納する円筒状に成形して、一対の位置決リブ５を２組設けることもできる。また、図７に示すように、２本の円筒電池３を、それぞれ２組の位置決リブ５で保持する構造とすることもできる。
【００２１】
電池ケース１は、位置決リブ５で定位置に保持される円筒電池３の＋−の電極端子に接触する位置に接続端子８を設けている。接続端子８は、弾性変形する金属板を折曲加工して製作したもので、円筒電池３の＋−の電極端子に弾性的に押圧される折曲片を有する。図に示す接続端子８は、電池ケース１に収納される２本の円筒電池３を直列に接続する。
【００２２】
【発明の効果】
本発明の電池ケースは、多少太さの異なる円筒電池を正しい位置に収納して、しかも、収納した状態での遊びを少なくできる特徴がある。それは、本発明の電池ケースが、円筒電池の縦方向に延長して一体成形された少なくとも一対の位置決リブを、円筒電池を挟むように、円筒電池を間にしてその両側に配設すると共に、円筒電池の中心から偏心した位置を挟むように、円筒電池の中心からずれた位置に配設し、さらに、円筒電池の半径方向に対して傾斜する姿勢で、円筒電池を挿入する筒状の内面に突出して設けているからである。この構造の電池ケースは、挿入される円筒電池によって、位置決リブが横方向に押圧されるので弾性変形しやすく、異なる外径の円筒電池の太さの誤差を位置決リブの弾性変形によって吸収して正しい位置に収納できる。しかも、この電池ケースは、装着された円筒電池を位置決リブが弾性的に押圧するので、収納したときの遊びを少なくできる。したがって、本発明の電池ケースは、太い円筒電池から細い円筒電池まで、多少太さが異なる円筒電池を装着しても、円筒電池を決められた位置に確実に支持できる特徴がある。さらに、位置決リブの厚さを電池ケースよりも薄く成形しているので、電池ケースの強度を低下させることなく、位置決リブを理想的な状態で弾性変形させて、円筒電池を定位置に支持できる特徴がある。
【００２３】
さらに、請求項２の電池ケースは、２本の円筒電池の間に設けられた隔壁と位置決リブとで円筒電池を支持しているので、位置決リブの数を少なくして円筒電池を正しい位置に確実に支持できる特長がある。
【００２５】
さらにまた、請求項３の電池ケースは、一対の位置決リブを同一平面に位置するように成形しているので、各々の位置決リブが円筒電池を押圧する力を均一にできる特徴がある。このように、各々の位置決リブが円筒電池を均一に押圧する電池ケースは、太さの異なる円筒電池を無理なく挿入できると共に、収納された円筒電池の位置ずれを少なくして、正しい位置に確実に支持できる特徴がある。
【図面の簡単な説明】
【図１】従来の電池ケースの水平断面図
【図２】本発明の実施例の電池ケースが携帯電気機器に装着される状態を示す斜視図
【図３】図２に示す電池ケースの水平断面図
【図４】図２に示す電池ケースの縦断面図
【図５】図２に示す電池ケースの縦断面図
【図６】本発明の他の実施例にかかる電池ケースの水平断面図
【図７】本発明の他の実施例にかかる電池ケースの水平断面図
【符号の説明】
１…電池ケース
２…携帯電気機器
３…円筒電池
４…隔壁
５…位置決リブ          ５Ａ…傾斜部
６…連結孔
７…凸部
８…接続端子
【図１】
0003749011.tif 000002
【図２】
0003749011.tif 000003
【図３】
0003749011.tif 000004
【図４】
0003749011.tif 000005
【図５】
0003749011.tif 000006
【図６】
0003749011.tif 000007
【図７】
0003749011.tif 000008